(57)【特許請求の範囲】
【請求項１】
筒状部の先端側端部に蓋部が連結され且つ該筒状部の基端側端部にフランジ部が連結された有蓋筒状のキャップ本体と、
該キャップ本体の蓋部に低融点ガラスで固着され且つ前記蓋部に形成された貫通孔を封止する光透過部材とを備え、
前記キャップ本体のフランジ部には、内周面の内径が少なくとも該キャップ本体の軸方向長さに対応する長さ分につき同一径とされたコレットチャック式の抵抗溶接用電極が、先端側から当接するように構成された光学用キャップ部品において、
前記筒状部は、全領域の肉厚が均一であり、前記筒状部の外径は、基端側端部から先端側に向かって軸方向所定幅を有する基端側の領域よりもその先端側に連なる軸方向所定幅を有する領域の全てが小径であり、前記筒状部の全領域に対する先端側端部から基端側に向かう５０〜８０％の領域が、基端側から先端側に移行するに連れて漸次縮径すると共に、該領域に滑らかにまたは屈曲して連なる前記基端側の領域が、基端側端部から先端側に亘って同一径であることを特徴とする光学用キャップ部品。
【請求項２】
前記筒状部の外周面は、基端側から先端側に移行する過程で基端側よりも先端側が大径となる部位が存在していないことを特徴とする請求項１に記載の光学用キャップ部品。
【請求項３】
前記筒状部の外周面は、前記全領域に対する先端側端部から基端側に向かう５０〜８０％の領域の最小径と、該領域に滑らかにまたは屈曲して連なる前記基端側の領域の径との差が、１０μｍ以上となるように設定されていることを特徴とする請求項１または２に記載の光学用キャップ部品。
【請求項４】
前記キャップ本体は、プレス成型品または切削加工品であることを特徴とする請求項１〜３の何れかに記載の光学用キャップ部品。
【発明の詳細な説明】
【技術分野】
【０００１】
本発明は、光学用キャップ部品に係り、詳しくは、有蓋筒状のキャップ本体が、光透過用部材が低融点ガラスにより固着される蓋部と、抵抗溶接用電極が当接するフランジ部と、これらの蓋部とフランジ部とが連結される筒状部とを備えてなる光学用キャップ部品に関する。
【背景技術】
【０００２】
周知のように、光学用キャップ部品は、光通信や光センサ等に用いられる発光素子或いは受光素子等の光素子を覆うもので、その内部を気密状態に保持することにより、光素子に対する光の入出力を適正に行わせ得る構成とされている。したがって、この種の光学用キャップ部品においては、その内部を気密状態に保持することが極めて重要な事項となる。
【０００３】
具体的には、この種の光学用キャップ部品は、筒状部の先端側端部に蓋部が連結された有蓋筒状のキャップ本体と、このキャップ本体の蓋部に低融点ガラスにより固着され且つ蓋部に形成された貫通孔を封止する光透過部材（例えば、球レンズ）とを備えている。そして、この光学用キャップ部品は、上述のような光素子が取り付けられたステムに抵抗溶接されるのが通例とされている。
【０００４】
したがって、この種の光学用キャップ部品においては、キャップ本体の筒状部の基端側端部に、抵抗溶接用電極が先端側から当接するフランジ部が形成されている（例えば、下記の特許文献１〜３参照）。そして、このフランジ部の底面をステムの上面に接触させた状態で、フランジ部の上面に抵抗溶接用電極を当接させて通電することにより、フランジ部とステムとの間にジュール熱を作用させて両者を溶接するようになっている。
【０００５】
この溶接に用いられる抵抗溶接用電極としては、下記の特許文献４に開示されているように、円筒部をキャップ本体の外周に倣う周方向に複数に分割し、その分割した個々の電極を内側（径方向中心側）に締め付けることにより、キャップ本体の筒状部を外周側から把持するように構成されたコレットチャック機構を備えたものが多用されるに至っている。
【０００６】
なお、下記の特許文献２には、キャップ本体の筒状部に蓋部との直角度を狂わせるような力が働いた場合に、蓋部の中央部分（光透過部材の装着部）への変形の波及を抑制すべく、筒状部と蓋部との連結部を薄肉にすること（同文献の図１〜図５参照）、及び筒状部の先端側端部近傍に凹部を形成して薄肉にすること（同文献の図６参照）が開示されている。
【特許文献１】特開２００６−１０６５０４号公報
【特許文献２】特開２００６−１２６２７２号公報
【特許文献３】特開２００７−８３２４７号公報
【特許文献４】特許第３７３４７０５号公報
【発明の開示】
【発明が解決しようとする課題】
【０００７】
ところで、この種の光学用キャップ部品のキャップ本体は、加工コストの低廉化等の観点から、プレス成型により製作されることが多いため、その筒状部と蓋部とフランジ部との何れの肉厚も０．１〜０．３ｍｍと薄肉にされているのが実情である。しかも、上記の特許文献１〜３に開示されたキャップ本体の筒状部は、基端側端部から先端側端部に至る全領域の外径が同一径であり、また抵抗溶接用電極の内周面もこれに倣って該当する領域の内径が同一径とされている。
【０００８】
そのため、特に既述のコレットチャック機構を備えた抵抗溶接用電極により、キャップ本体を正確に位置決めすべく、その筒状部の外周面を把持した場合には、基端側端部から先端側端部までの外周面全領域を強固に締め付けることになる。そして、このような状態で抵抗溶接を行ったならば、その溶接時に抵抗溶接用電極がキャップ本体を押し下げる鍛圧が、フランジ部に作用するのみならず、抵抗溶接用電極により締め付けられている筒状部の外周面全領域にも締め付け力と共に押し下げ力として作用する。その時に、キャップ本体には、筒状部の全領域に不当な応力が生じることから、そのような応力が生じている筒状部の先端側端部に連結されている蓋部にも同様に不当な応力が生じて、蓋部が変形を来たすため、光透過部材を固着している低融点ガラスに割れが発生し、当該光学用キャップ部品の内部の気密性が破壊されるという問題が生じる。
【０００９】
この場合、上記の特許文献２（同文献の図１〜図５）には、キャップ本体の筒状部と蓋部との連結部を薄肉にすることが記載されているが、その筒状部の基端側端部から先端側端部までは外径が同一径であるため、上記の場合と同様の問題が生じる。更に、この特許文献２（同文献の図６参照）には、キャップ本体の筒状部の先端側端部近傍における外周面部に凹部を形成して薄肉にすることが記載されている関係上、当該薄肉部の形成箇所の外径が小径となっているが、この小径部は極めて狭い領域であって且つ筒状部の先端側端部周辺には、薄肉部形成箇所の基端側の領域と同一外径の部位が存在する。そのため、抵抗溶接用電極による締め付け力は、筒状部における薄肉部よりも基端側に存する領域に作用するのみならず筒状部の先端側端部周辺にも同様に作用することから、溶接時には、筒状部の外周面の略全領域に締め付け力と共に押し下げ力が同時に作用し、これに起因して筒状部及び蓋部の双方に不当な応力が実質的に生じることになるため、この場合であっても上記と同様の問題が生じ得る。
【００１０】
本発明は、上記事情に鑑み、抵抗溶接用電極による溶接時に、光学用キャップ部品のキャップ本体における筒状部の外周面に締め付け力と押し下げ力との双方が同時に作用することに起因して蓋部に不当な応力及び変形が生じることを回避し、これにより蓋部に光透過部材を固着している低融点ガラスの割れの発生及びこれに伴う光学キャップ部品の内部の気密性破壊を未然に防止することを技術的課題とする。
【課題を解決するための手段】
【００１１】
上記技術的課題を解決するために創案された本発明は、筒状部の先端側端部に蓋部が連結され且つ該筒状部の基端側端部にフランジ部が連結された有蓋筒状のキャップ本体と、該キャップ本体の蓋部に低融点ガラスで固着され且つ前記蓋部に形成された貫通孔を封止する光透過部材とを備え、前記キャップ本体のフランジ部には、内周面の内径が少なくとも該キャップ本体の軸方向長さに対応する長さ分につき同一径とされたコレットチャック式の抵抗溶接用電極が、先端側から当接するように構成された光学用キャップ部品において、前記筒状部は、全領域の肉厚が均一であり、前記筒状部の外径は、基端側端部から先端側に向かって軸方向所定幅を有する基端側の領域よりもその先端側に連なる軸方向所定幅を有する領域の全てが小径であり、前記筒状部の全領域に対する先端側端部から基端側に向かう５０〜８０％の領域が、基端側から先端側に移行するに連れて漸次縮径すると共に、該領域に滑らかにまたは屈曲して連なる前記基端側の領域が、基端側端部から先端側に亘って同一径であることに特徴づけられる。なお、上記の「軸方向所定幅」とは、キャップ本体の中心軸線に沿う方向における所定幅を意味する（以下、同様）。
【００１２】
ここで、上記の「筒状部」には、筒状部と蓋部との連結部が含まれず、且つ筒状部とフランジ部との連結部も含まれない。詳述すると、例えば図１（ａ）〜（ｃ）に示すように筒状部５と蓋部３とのそれぞれの内面が直角に屈曲して連結されている場合には、それぞれの外面の連結形態が直角であるか湾曲しているかに拘わらず、筒状部５の内面に沿って先端側に延びる直線ｘと、蓋部３の内面に沿って外周側に延びる直線ｙとで区画される区画領域５ｃ（図中のクロスハッチングを付した領域）が連結部となり、筒状部５は、これらの連結部５ｃを含まない。また、例えば図１（ｄ）〜（ｆ）に示すように筒状部５と蓋部３とのそれぞれの内面が湾曲部Ｒを介して連結されている場合には、それぞれの外面の連結形態が直角であるか湾曲しているかに拘わらず、その湾曲部Ｒの始端Ｒ１と終端Ｒ２とを境界にもつ区画領域５ｃ（図中のクロスハッチングを付した領域）が連結部となり、筒状部５は、これらの連結部５ｃを含まない。一方、例えば図２（ａ）〜（ｃ）に示すように筒状部５とフランジ部５ｆとのそれぞれの外面が直角に屈曲して連結されている場合には、それぞれの内面の連結形態が直角であるか湾曲しているかに拘わらず、筒状部５の外面に沿って基端側に延びる直線ｘ１と、フランジ部５ｆの外面に沿って内周側に延びる直線ｙ１とで区画される区画領域５ｄ（図中のクロスハッチングを付した領域）が連結部となり、筒状部５は、これらの連結部５ｄを含まない。また、例えば図２（ｄ）〜（ｆ）に示すように筒状部５とフランジ部５ｆとのそれぞれの外面が湾曲部Ｒを介して連結されている場合には、それぞれの内面の連結形態が直角であるか湾曲しているかに拘わらず、その湾曲部Ｒの始端Ｒ１と終端Ｒ２とを境界にもつ区画領域５ｄ（図中のクロスハッチングを付した領域）が連結部となり、筒状部５は、これらの連結部５ｄを含まない。
【００１４】
このような構成によれば、抵抗溶接用電極による溶接時には、光学用キャップ部品のキャップ本体における筒状部の外周面全領域が抵抗溶接用電極の内周面によって径方向中心側に強固に締め付けられるわけではなく、筒状部の外径が大きな部位である基端側の領域のみが強固に締め付けられるのに対して、その領域よりも全体的に外径が小さい部位である先端側の領域は、非接触状態もしくは軽く接触した状態となり得ることから、少なくとも強固に締め付けられた状態にはならない。したがって、実際の溶接時に、筒状部の基端側の領域に締め付け力と押し下げ力とが同時に作用して不当な応力が生じた場合であっても、筒状部の先端側の領域とりわけ先端側端部近傍にはそのような程度の応力が生じず、これにより蓋部にまで不当な応力が生じるという事態を阻止することができる。その結果、蓋部が不当な変形を来たすことを抑止することができ、蓋部に光透過部材を固着している低融点ガラスの割れの発生及びこれに伴う光学キャップ部品の内部の気密性破壊を未然に防止することが可能となる。なお、上記の筒状部５と蓋部３との連結部５ｃの最大外径は、図示のように筒状部５の先端側端部の外径よりも大径でないことが好ましいが、仮に連結部５ｃの最大外径が筒状部５の先端側の領域の外径よりも大径であっても、筒状部５の基端側の領域の外径よりも小径であれば、同様の作用効果を享受することができる。
【００１５】
ここで、上記技術的課題を解決するために創案された本発明によれば、既述のように、前記筒状部は、全領域の肉厚が均一とされている。
【００１６】
このようにすれば、キャップ本体の良好な品位を確保しつつ、強度の向上ひいては耐久性の向上を図ることができると共に、製作の容易化をも図り得ることになる。
【００１７】
この場合、前記筒状部の外周面は、基端側から先端側に移行する過程で基端側よりも先端側が大径となる部位が存在していないことが好ましい。
【００１８】
このようにすれば、キャップ本体の筒状部の外周面に部分的な凹部などが存在しなくなり、溶接時における筒状部に局部的な応力集中等が発生するという不具合を的確に回避することが可能となる。
【００１９】
更に、上記技術的課題を解決するために創案された本発明によれば、既述のように、前記筒状部の外周面は、全領域に対する先端側端部から基端側に向かう５０〜８０％の領域が、基端側から先端側に移行するに連れて漸次縮径すると共に、該領域に滑らかにまたは屈曲して連なる前記基端側の領域が、基端側端部から先端側に亘って同一径とされている。
【００２０】
このようにすれば、筒状部の基端側端部から先端側に亘って外径が同一径である基端側の領域が、抵抗溶接用電極の内周面によって適正に締め付けられることから、キャップ本体の位置決め若しくは位置合わせが正確になされた上で溶接作業が行われる。しかも、筒状部の全領域に対する先端側端部から基端側に向かう５０〜８０％の領域が、基端側から先端側に移行するに連れて漸次縮径しているため、この領域には抵抗溶接用電極から直接的な締め付け力が作用しなくなり、不当な応力が筒状部の先端側から蓋部にかけて発生するという事態がより確実に回避される。すなわち、この領域が上記の５０％未満であると、筒状部の先端側において抵抗溶接用電極による直接的な締め付け力の作用しない面積が不足がちとなり、蓋部の不当な応力発生を緩和する上で不十分になるおそれがあり、また上記の８０％を超えると、筒状部の基端側において抵抗溶接用電極の締め付けによる正確な位置決め等を行う上で不利となるおそれがある。したがって、先端側に漸次縮径する領域は、上記の数値範囲内にあることが好ましい。また、この領域は、先端側に漸次縮径していることから、キャップ本体の製作時におけるプレス成型等の加工性が良好になるという利点も享受することができる。
【００２１】
このようにした場合、前記筒状部の外周面は、前記全領域に対する先端側端部から基端側に向かう５０〜８０％の領域の最小径と、該領域に滑らかにまたは屈曲して連なるその基端側の領域の径との差が、１０μｍ以上となるように設定されていることが好ましい。
【００２２】
このようにすれば、上記の５０〜８０％の領域は、抵抗溶接用電極の内周面により接触状態で強固に締め付けられる度合いが確実に小さくなり、蓋部への不当な応力発生を可及的に低減することが可能となる。すなわち、上記の差が１０μｍ未満であると、筒状部の変形に伴って上記の５０〜８０％の領域に抵抗溶接用電極の内周面から許容値を超える締め付け力が作用するおそれがあるが、その差が１０μｍ以上であれば、そのような不具合は生じない。
【００２３】
なお、本発明に係る構成ではないが、前記筒状部の外周面は、全領域に対する先端側端部から基端側に向かう５０〜８０％の領域が、基端側から先端側に亘って同一径であると共に、該領域に拡径段部を介して連なるその基端側の領域が、基端側端部から先端側に亘って同一径であるようにしてもよい。
【００２４】
このようにした場合であっても、蓋部の不当な応力の発生抑止の観点からは、実質的に上記の漸次縮径の場合と同様の作用効果を得ることができる。
【００２５】
また、この場合にも、前記筒状部の外周面は、前記全領域に対する先端側端部から基端側に向かう５０〜８０％の領域の径と、該領域に拡径段部を介して連なるその基端側の領域の径との差が、１０μｍ以上となるように設定されていることが好ましい。
【００２６】
このようにした場合にも、上記の５０〜８０％の領域が抵抗溶接用電極の内周面により接触状態で強固に締め付けられる度合いが確実に小さくなり、実質的に上記の漸次縮径の場合と同様の作用効果を得ることができる。
【００２７】
ここで、本発明における前記キャップ本体は、プレス成型品であってもよく、また切削加工品であってもよい。
【００２８】
また、本発明における前記フランジ部には、コレットチャック機構を備えた抵抗溶接用電極が先端側から当接するように構成されていることにより、既述の効果をより確実且つ顕著に得ることができる。
【発明の効果】
【００２９】
以上のように本発明に係る光学用キャップ部品によれば、抵抗溶接用電極による溶接時に、キャップ本体における筒状部の外周面全領域が、従来のように抵抗溶接用電極の内周面によって強固に締め付けられることが回避される。すなわち、筒状部の外径が大きな基端側の領域のみが強固に締め付けられ、その領域よりも全体的に外径が小さくされた先端側の領域は、非接触状態もしくは軽く接触した状態となり得ることから、少なくとも強固に締め付けられた状態にはならない。したがって、実際の溶接時に、筒状部の基端側の領域に締め付け力と押し下げ力とが同時に作用して不当な応力が生じた場合であっても、筒状部の先端側の領域とりわけ先端側端部周辺にはそのような程度の応力が生じず、これにより蓋部にまで不当な応力が生じるという事態が阻止される。その結果、蓋部が不当な変形を来たすことが抑止されて、蓋部に光透過部材を固着している低融点ガラスの割れの発生及びこれに伴う光学キャップ部品の内部の気密性破壊が未然に防止される。
【発明を実施するための最良の形態】
【００３０】
以下、本発明の実施形態を添付図面を参照して説明する。なお、以下の実施形態は、光透過部材として球レンズを備えた光学用キャップ部品を例示するものである。
【００３１】
図３は、本発明の第一実施形態に係る光学用キャップ部品１を例示する縦断正面図である。同図に示すように、この光学用キャップ部品１は、有蓋円筒状のキャップ本体２と、このキャップ本体２の蓋部３に装着された球レンズ４とを備えている。なお、キャップ本体２は金属製であって、この実施形態ではプレス加工により成型されたものである。
【００３２】
詳述すると、このキャップ本体２は、円筒状をなす筒状部５の先端側端部５ｘに第一連結部５ｃを介して蓋部３が連結されると共に、この筒状部５の基端側端部５ｙには、第二連結部５ｄを介してフランジ部５ｆが連結されている。そして、キャップ本体２の蓋部３の中心には貫通孔３ａが形成され、この貫通孔３ａを封止するように球レンズ４が低融点ガラス６により固着されている。この場合、第一連結部５ｃは内面が湾曲し、第二連結部５ｄは外面が湾曲しているが、これらの連結部５ｃ、５ｄと筒状部５との関係は、既に説明した通りである。
【００３３】
このキャップ本体２の筒状部５は、基端側端部５ｙを含む基端側の領域つまり基端側端部５ｙから先端側に向かう軸方向所定幅の領域（以下、基端側領域という）５ａと、この基端側領域５ａの先端側に滑らかにまたは屈曲して連なり先端側端部５ｘに至る軸方向所定幅の領域（以下、先端側領域という）５ｂとに区分される。そして、この筒状部５の外径は、基端側領域５ａに比して先端側領域５ｂの全てが小径とされており、筒状部５の肉厚は、両領域５ａ、５ｂの全てが均一とされている。
【００３４】
しかも、この筒状部５の全領域における外周面は、基端側から先端側に移行する過程において、基端側よりも先端側が大径となる部位が存在していない。すなわち、筒状部５の外周面には、基端側から先端側に移行していく途中で拡径する段部等が形成されておらず、且つ、一旦縮径した後に拡径するような凹状の環状溝なども形成されていない。
【００３５】
更に、この筒状部５の外周面は、その全領域の軸方向長さをＬとし、先端側領域５ｂの軸方向長さをＬａとした場合に、ＬａがＬの５０〜８０％（この実施形態では略５０％）となるように形成されている。そして、この先端側領域５ｂの外周面は、基端側から先端側に移行するに連れて漸次縮径（好ましくは一定の比率で漸次縮径）しているのに対して、基端側領域５ａの外周面は、基端側から先端側に亘る全てが同一径（実質的同一径を含む）とされている。また、この筒状部５の先端側領域５ｂの最小径Ｄｂと、基端側領域５ａの外径Ｄａとの差は、１０μｍ以上とされ、両領域５ａ、５ｂは同軸上に形成されている。
【００３６】
以上のような構成とされた光学用キャップ部品１は、以下のようにして抵抗溶接用電極によりステムに溶接される。
【００３７】
図４に示すように、光学用キャップ部品１をステム７に溶接する際には、円筒部分を周方向に複数分割（例えば３分割）したコレットチャック式の抵抗溶接用電極８が使用される（詳細な図示は省略）。なお、この抵抗溶接用電極８の円筒部分における内周面の内径は、少なくともキャップ本体５の軸方向長さに対応する長さ分が全て同一径（実質的同一径を含む）とされている。そして、この円筒部分が複数分割された抵抗溶接用電極８を径方向中心側に締め付けて縮径変位させ、この抵抗溶接用電極８の内周面によって、キャップ本体２の筒状部５における基端側領域５ａの外周面を把持した後、溶接ステージ９まで搬送する。この場合、溶接ステージ９には、保持用凹部９ａが形成されており、この保持用凹部９ａに、光素子１０が装着されたステム７を予め収容しておく。
【００３８】
このような状態で、抵抗溶接用電極８によって光学用キャップ部品１の水平面内位置を微調整しながら、光学用キャップ部品１の球レンズ４と、光素子１０との光軸を合わせ、このような位置関係を維持しつつ、キャップ本体２のフランジ部５ｆの裏面に形成されているプロジェクション５ｐをステム７の上面に当接させる。この後、抵抗溶接用電極８により、フランジ部５ｆとステム７との間に電流を流し、この時に生じるジュール熱でプロジェクション５ｐを溶融させ、光学用キャップ部品１とステム７とを溶接する。
【００３９】
このような動作が行われる過程では、抵抗溶接用電極８がキャップ本体２の筒状部５を締め付けることになるが、その締め付け力は、主として筒状部５の基端側領域５ａに作用して、先端側領域５ｂには殆ど締め付け力が作用することはないため、この先端側領域５ｂは、抵抗溶接時に加わる鍛圧の影響を受けず、不当な応力の発生が抑止される。そのため、この先端側領域５ｂの先端側端部に第一連結部５ｃを介して連結されている蓋部３に、不当な応力が発生することを確実に抑止することができ、蓋部３の不当な変形及びこれに起因する低融点ガラス６の割れが未然に防止され、これにより光学用キャップ部品１の内部の気密性破壊が阻止されることになる。
【００４０】
図５は、光学用キャップ部品１を例示するものである。この光学用キャップ部品１が、上述の第一実施形態に係る光学用キャップ部品１と相違する点は、キャップ本体２の筒状部５における先端側領域５ｂの外径が、先端側から基端側に亘って全て同一径である点と、先端側領域５ｂから基端側領域５ａへの連なり部が拡径段部５ｚとされている点とである。その他の構成は、上述の第一実施形態と同一であるので、両者に共通の構成要件については、同一符号を付してその説明を省略する。そして、この光学用キャップ部品１も、上述の第一実施形態と同様にして、抵抗溶接用電極８を使用してステム７に溶接されるため、実質的に同一の作用効果が得られる。
【００４１】
ここで、本発明の実施形態を例示するものではないが、キャップ本体２の筒状部５を、全領域に亘って均一の肉厚とせずに、筒状部５の肉厚を変化させた上で基端側領域５ａの外径よりも先端側領域５ｂのそれを小径にしてもよい。
【００４２】
また同様に、本発明の実施形態を例示するものではないが、キャップ本体２の筒状部５を、軸方向幅を有する基端側領域５ａと先端側領域５ｂとに区分せずに、例えば軸方向幅を実質的に有しない基端側端部５ｙのみを基端側領域５ａとして、筒状部５の基端側端部５ｙから先端側端部５ｘまで漸次縮径する形状としてもよい。
【００４３】
なお、上述の実施形態では、光透過部材として球レンズ４を例示したが、例えばロッドレンズ等のその他のレンズ、或いはレンズ作用を有しないガラス板などの透明板等であってもよい。
【図面の簡単な説明】
【００４４】
【図１】図１（ａ）〜（ｆ）はそれぞれ、本発明に係る光学用キャップ部品におけるキャップ本体の筒状部と蓋部との連結部を説明するための要部概略図である。
【図２】図２（ａ）〜（ｆ）はそれぞれ、本発明に係る光学用キャップ部品におけるキャップ本体の筒状部とフランジ部との連結部を説明するための要部概略図である。
【図３】本発明の第一実施形態に係る光学用キャップ部品を示す縦断正面図である。
【図４】本発明の第一実施形態に係る光学用キャップ部品を抵抗溶接用電極を使用して溶接する際の状態を示す縦断正面図である。
【図５】本発明の第二実施形態に係る光学用キャップ部品を示す縦断正面図である。
【符号の説明】
【００４５】
１  光学用キャップ部品
２  キャップ本体
３  蓋部
３ａ  貫通孔
４  光透過部材（球レンズ）
５  筒状部
５ａ  筒状部の基端側領域
５ｂ  筒状部の先端側領域
５ｃ  筒状部と蓋部との連結部
５ｄ  筒状部とフランジ部との連結部
５ｆ  フランジ部
５ｐ  プロジェクション
５ｘ  筒状部の先端側端部
５ｙ  筒状部の基端側端部
５ｚ  拡径段部
６  低融点ガラス
７  ステム
８  抵抗溶接用電極
９  溶接ステージ
９ａ  保持用凹部
１０  光素子
Ｌ  筒状部の軸方向長さ
Ｌａ  筒状部の先端側領域の軸方向長さ
Ｄａ  筒状部の基端側領域の径
Ｄｂ  筒状部の先端側領域の最小径
Ｒ  湾曲部
Ｒ１  始端（湾曲部の始端）
Ｒ２  終端（湾曲部の終端）
ｘ  直線（筒状部の内面に沿って先端側に延びる直線）
ｙ  直線（蓋部の内面に沿って基端側に延びる直線）
ｘ１  直線（筒状部の外面に沿って基端側に延びる直線）
ｙ１  直線（フランジ部の外面に沿って内周側に延びる直線）
【図１】
0005151612.tif 000002
【図２】
0005151612.tif 000003
【図３】
0005151612.tif 000004
【図４】
0005151612.tif 000005
【図５】
0005151612.tif 000006